(57)【要約】【課題】コストの増大を抑え、確実に誤装着を防止する。【解決手段】胴体１３および底体２９を有する外装体と、前記底体２９に配設され、縦方向の一方に偏った位置に、横方向に突出する接続端子４２Ａ，４２Ｂ，４３を有する器具用プラグ３８と、前記外装体内に配設され、難燃性を有する非導電性材料からなる構成部品（基板ホルダー５１）とを備え、前記難燃性構成部品に、前記底体２９に対して器具用プラグ３８を縦方向逆向きに装着した誤装着状態では前記接続端子４３に干渉し、正規装着状態では前記接続端子４３に干渉しない逆付け防止片６２を突設する。【選択図】図１
2008027764.tif 000002
【特許請求の範囲】
【請求項１】
胴体および底体を有する外装体と、
前記底体に配設され、縦方向の一方に偏った位置に、横方向に突出する少なくとも２極の接続端子を有する器具用プラグと、
前記外装体内に配設され、難燃性を有する非導電性材料からなる構成部品とを備え、
前記難燃性構成部品に、前記底体に対して器具用プラグを縦方向逆向きに装着した誤装着状態では前記接続端子に干渉し、正規装着状態では前記接続端子に干渉しない逆付け防止片を突設したことを特徴とする家庭用電気製品。
【請求項２】
前記器具用プラグは、一対の接続端子の間に、縦方向に所定間隔をもってアース端子を横方向に突設した３極のものであり、前記逆付け防止片は、誤装着状態で前記アース端子に干渉するものであることを特徴とする請求項１に記載の家庭用電気製品。
【請求項３】
前記アース端子が縦方向下側に位置する状態を正規装着位置としたことを特徴とする請求項２に記載の家庭用電気製品。
【請求項４】
前記難燃性構成部品は、基板を配設するための基板ホルダーであることを特徴とする請求項１乃至請求項３のいずれか１項に記載の家庭用電気製品。
【発明の詳細な説明】
【技術分野】
【０００１】
本発明は、炊飯器、電気ポットおよび加湿器等の家庭用電気製品に関するものである。
【背景技術】
【０００２】
この種の家庭用電気製品は、外装体の内部に、目的の動作を実行するための負荷部品、負荷部品を制御するための制御基板、および、部品を収容配置するための種々の構成部品が配設されている。そして、外装体には、商用電源に電気的に接続するために、器具用プラグが配設されている。
【０００３】
前記器具用プラグは、非導電性材料からなるケースを備え、該ケースから外装体内に突出し、電源回路等を実装した基板に接続される第１端子部と、ケースの接続凹部内に突出する第２端子部とを有する。そして、電源コードの端部に設けられた相手方プラグを、前記接続凹部内に差し込むことにより、第２端子部と相手方プラグ内の端子とを電気的に接続するものである。
【０００４】
前記第１端子部と第２端子部とは、それぞれ接合または連続された一対のもので、これらにより１つの接続端子を構成する。また、この器具用プラグとしては、一対の電力供給用接続端子を有する２極のものと、一対の電力供給用接続端子および１つのアース用接続端子を有する３極のものとがある。
【０００５】
そのうち、３極の接続端子を有する器具用プラグは、一対の電力供給用接続端子が、縦方向の中央から一方に偏った位置に、平行に突出するように設けられている。また、１つのアース用接続端子は、縦方向の中央から他方に偏った位置において、一対の電力供給用接続端子の間に位置するように突出されている。なお、２極の接続端子のみからなる器具用プラグは、アース用接続端子が設けられず、縦方向の一方に偏った位置に一対の電力供給用接続端子のみが突設されている点でのみ相違している。
【０００６】
このような器具用プラグは、接続端子が偏った位置に突設されているため、組立作業性等を考慮して取付方向が規定されている。しかし、器具用プラグのケースは、挿入断面形状が矩形状をなすため、取付方向を縦方向逆向き、例えば、電力供給用接続端子が上側に位置している状態を正規取付位置にしているにも拘わらず、電力供給用接続端子を下側に位置させるという誤装着の可能性がある。
【０００７】
そこで、従来では、前記外装体における器具用プラグの取付部に、誤装着の場合には所定の接続端子の第１端子部に干渉することにより装着を阻止し、正規装着の場合にはいずれの第１端子部にも干渉しないことにより装着を許容する逆付け防止片を設けたものが提供されている。
【０００８】
しかしながら、この家庭用電気製品では、逆付け防止片を取付部に一体的に設ける場合、この逆付け防止片が取付部の内部に突出する形状をなすため、成型金型の構成が複雑になり、コスト高になるという問題がある。しかも、取付部の構造によっては、逆付け防止片を一体的に設けることができない場合がある。また、逆付け防止片は、その機能上、接続端子に接近させた設計とならざるを得ないため、その材料は難燃性材料が要求される。よって、逆付け防止片を取付部に一体的に設けた場合においては、取付部を形成する外観部品である外装体を難燃性材料とする必要がある。しかし、難燃性材料は、その成分上、光沢のない材料が一般的であるため、外観を重要視する必要がある外装体には使用できない。一方、別体の逆付け防止片を取付部に組み付ける構成とした場合、取付部の構造に拘わらず設けることは可能であり、外装体を形成する材料の問題も生じないが、部品点数の増加、および、組立作業工程の増加により、更にコスト高になるという問題がある。
【発明の開示】
【発明が解決しようとする課題】
【０００９】
本発明は、従来の問題に鑑みてなされたもので、コストの増大を抑え、確実に誤装着を防止できる家庭用電気製品を提供することを課題とするものである。
【課題を解決するための手段】
【００１０】
前記課題を解決するため、本発明の家庭用電気製品は、胴体および底体を有する外装体と、前記底体に配設され、縦方向の一方に偏った位置に、横方向に突出する少なくとも２極の接続端子を有する器具用プラグと、前記外装体内に配設され、難燃性を有する非導電性材料からなる構成部品とを備え、前記難燃性構成部品に、前記底体に対して器具用プラグを縦方向逆向きに装着した誤装着状態では前記接続端子に干渉し、正規装着状態では前記接続端子に干渉しない逆付け防止片を突設した構成としている。
【００１１】
本発明の家庭用電気製品では、底体とは異なる難燃性構成部品に、誤装着状態で器具用プラグの接続端子に干渉する逆付け防止片を突設するため、器具用プラグを取り付ける底体の形状に拘わらず確実に設けることができるうえ、部品点数の増加および組立作業工程の増加もない。しかも、難燃性構成部品に設ける逆付け防止片は、別体からなる底体の取付部に進入させる必要性により、難燃性構成部品から外向きに突出する形状をなすため、成形金型の構成は簡素であり、コストの増大を抑制できる。また、外観部品である底体は、難燃性材料で構成する必要がある逆付け防止片を設けないため、外観を重視した好適な光沢材料を使用することができる。
【００１２】
この家庭用電気製品では、前記器具用プラグは、一対の接続端子の間に、縦方向に所定間隔をもってアース端子を横方向に突設した３極のものであり、前記逆付け防止片は、誤装着状態で前記アース端子に干渉するものであることが好ましい。このようにすれば、１つの逆付け防止片で確実に誤装着を防止できるため、コストの増大を確実に抑制できる。
【００１３】
この場合、前記アース端子が縦方向下側に位置する状態を正規装着位置とすることが好ましい。このようにすれば、水等が浸水し易い製品下側に電力供給用接続端子が位置しないため、製品の安全性を向上できる。
【００１４】
また、前記難燃性構成部品は、基板を配設するための基板ホルダーであることが好ましい。このようにすれば、外装体または外装体の内部に導電性材料からなる構成部品が存在しても、確実に絶縁性能を維持したうえで器具用プラグの誤装着を防止できる。しかも、基板ホルダーは、その機能上、難燃性材料で形成する必要があるため、この基板ホルダーに逆付け防止片を設けることにより、新たな部品を追加したり形成材料を変更することなく、本発明を実現できる。そのため、家庭用電気製品の材料選択を含む設計の自由度を向上できる。
【発明の効果】
【００１５】
本発明の家庭用電気製品では、底体とは異なる難燃性構成部品に、誤装着状態で器具用プラグの接続端子に干渉する逆付け防止片を突設するため、外観を損なうことなく、製造コストの増大を抑制したうえで、器具用プラグの誤装着を確実に防止できる。
【発明を実施するための最良の形態】
【００１６】
以下、本発明の実施の形態を図面に従って説明する。
【００１７】
図１および図２は、本発明の実施形態に係る家庭用電気製品である炊飯器１０を示す。この炊飯器１０は、炊飯鍋１１を着脱可能に収容する炊飯器本体１２と、該炊飯器本体１２の上端開口を閉塞する蓋体６５とを備えたものである。
【００１８】
前記炊飯器本体１２は、図１および図３に示すように、鏡面仕上げを施した金属（ステンレス）製の筒体からなる胴体１３と、該胴体１３の上端開口に配設した円環状の肩体２０と、胴体１３の底に配設した底体２９とを有する外装体を備えている。
【００１９】
前記胴体１３は、図３および図４に示すように、金属板を絞り加工により下部の直径を徐々に小さくした略円筒形状のものである。この胴体１３の上端縁には、肩体２０を固定するために、水平方向外向きに突出するフランジ部１４が設けられている。また、胴体１３の下端縁には、後述する底体２９と基板ホルダー５１とを固定するための底部１５が水平方向内向きに突出するように設けられている。そして、この底部１５の中央には、略円形状をなす中心穴１６が設けられている。この中心穴１６は、基板ホルダー５１を嵌合して固定するために、内周縁に外方に延びる３つの嵌合溝１７ａ〜１７ｃが設けられている。そのうち、嵌合溝１７ａ，１７ｂは、その延び方向が直線的に一致するように設けられ、嵌合溝１７ｃは、嵌合溝１７ａ，１７ｂにかけて延びる仮想線に対して直交する方向に延びるように設けられている。また、中心穴１６には、商用電源からの電力線を導入するとともに、後述する逆付け防止片６２を貫通させて外側に突出させるための切欠部１８が設けられている。さらに、底部１５において中心穴１６の周囲には、底体２９をネジ止めにより固定するためのネジ孔部１９が設けられている。
【００２０】
前記肩体２０は、図１および図３に示すように、胴体１３のフランジ部１４に対して固着される樹脂製のものである。この肩体２０は、その中央に炊飯鍋１１を着脱可能に装着するための開口部２１が設けられている。また、肩体２０の背面側には、後述する蓋体６５を開閉可能に軸着するためのヒンジ接続部２２が設けられている。さらに、肩体２０の正面側には、蓋体６５を開放不可能にロックするためのロック爪部２３が設けられている。前記開口部２１の外周部には、略環状をなすように下向きに突出するガイドリブ２４が設けられている。このガイドリブ２４は、胴体１３を組み付ける際に正規装着位置にガイドするためのものである。
【００２１】
本実施形態では、この肩体２０は胴体１３より外方に突出するように形成され、その突出部分正面側に操作パネル部２５が設けられている。この操作パネル部２５は、肩体２０に設けた孔に別体の操作部材２６ａ〜２６ｅを配設するとともに、これら操作部材２６ａ〜２６ｅの背部（内部）にスペーサセット２７が配設され、このスペーサセット２７の背部にスイッチを実装したスイッチ基板２８が配設されている。
【００２２】
前記底体２９は、図１，３，５に示すように、胴体１３の下部に配設される受皿形状をなす非難燃性および非導電性を有する光沢のある樹脂製のもので、その底には略球状に突出する脚部３０が周方向に等間隔でもって設けられている。また、この底体２９の上面には、環状および放射状に突出する複数の補強リブ３１が設けられている。そして、本実施形態では、底体２９の下位に位置する中央に複数の排水孔３２が設けられている。また、底体２９には、胴体１３のネジ孔部１９に対応するネジ挿通部３３が設けられている。
【００２３】
本実施形態の底体２９には、商用電源と接続するための器具用プラグ３８を配設するための取付部３４が設けられている。この取付部３４は、側面視矩形状をなすように設けた貫通孔の縁から四角筒状をなすように外向きに突設した矩形状突出部３５と、該矩形状突出部３５の内面と面一をなすように内向きに延びる上端開口の矩形状枠部３６とを有する。これにより、底体２９の外部から内部へ水平方向内向きに貫通した側面視矩形状の空間からなる取付部３４が形成されている。なお、この取付部３４の上端開口部３７は、基板ホルダー５１から延びるリード線を導入するとともに、後述する逆付け防止片６２を進入させるものである。また、上端開口部３７を形成する矩形状枠部３６の上縁は、底部１５の切欠部１８から胴体１３内に進入するように傾斜されている。
【００２４】
前記器具用プラグ３８は、難燃性および非導電性を有する樹脂製のケース３９と、一対の電力供給用接続端子４２Ａ，４２Ｂと、１つのアース用接続端子４３とを備えた従来と同様の３極のものである。前記ケース３９は、一側端を開口し、逆側の他側端を閉塞した四角筒状のもので、その内部が、図示しない電源コードの端部に配設した相手方プラグを挿入接続する接続凹部４０を構成するものである。また、このケース３９の上側面および下側面には、切起構造を施すことにより弾性係止片４１が形成されている。前記電力供給用接続端子４２Ａ，４２Ｂおよびアース用接続端子４３は、ケース３９の閉鎖面３９ａから外向きに突出する第１端子部と、閉鎖面３９ａから接続凹部４０内に突出する第２端子部とを備え、これらが互いに加締めにより接合されたものである。なお、前記第１端子部は制御基板５０にリード線によって接続され、第２端子部は相手方プラグの接続端子と着脱可能に電気接続される。また、前記電力供給用接続端子４２Ａ，４２Ｂは、縦方向である垂直方向において、中央から一方に偏った位置に同一高さで横方向である水平方向に突出するように設けられている。また、アース用接続端子４３は、電力供給用接続端子４２Ａ，４２Ｂと垂直方向に所定間隔をもって位置するように、垂直方向において、電力供給用接続端子４２Ａ，４２Ｂとは逆側に偏った位置で、これらの中間に位置するように、水平方向に突出するように設けられている。本実施形態では、この器具用プラグ３８は、電力供給用接続端子４２Ａ，４２Ｂが上側に位置し、アール用接続端子が下側に位置する状態が、前記取付部３４に対する正規装着位置となるように設定されている。
【００２５】
前記胴体１３、肩体２０および底体２９からなる外装体の内部には、図１および図３に示すように、炊飯鍋１１を着脱可能に収容するための金属製の内胴４４が配設されている。この内胴４４は、肩体２０の開口部２１の下端から下向きに延びる上端開口で下端閉鎖の筒状のもので、その底の中央には、加熱ヒータを配設した略椀状の加熱板（図示せず）および炊飯鍋１１の温度を検出する温度センサ（図示せず）を配設する凹部４５が設けられている。この凹部４５の中央には、温度センサを配設して固定するための貫通孔４６が設けられている。また、この貫通孔４６の周囲には、加熱板を固定するためのネジ孔部４７が設けられるとともに、複数の排水孔４８が設けられている。なお、この排水孔４８は、平面視で後述する基板ホルダー５１の水受部５７内に全て位置する。また、この内胴４４の外周部には、発泡メラミンからなる断熱材４９が配設されている。図１および図６に示すように、この断熱材４９は厚肉のシート状をなし、前記肩体２０のガイドリブ２４と内胴４４との間に挟み込むようにして配設されている。
【００２６】
また、外装体において内胴４４の下部の略中央には、制御基板５０を配設するための難燃性および非導電性を有する樹脂製の基板ホルダー５１が配設されている。この基板ホルダー５１は、図３および図５に示すように、平面視矩形状をなす仕切壁５２と、該仕切壁５２の外周縁から上下方向に突出するように設けた外周壁５５とを備えたものである。前記仕切壁５２は、水平方向に延びる水平部５３と、該水平部５３の端縁から上向きに傾斜して平面状に延びる傾斜部５４とを備えている。前記外周壁５５は、仕切壁５２の外周縁を囲繞するように上下に突出するもので、水平部５３において、傾斜部５４と対向する端縁の一側に偏った位置に、筒状に膨出する膨出部５６が設けられている。前記仕切壁５２と外周壁５５とで囲繞された上端開口の上側は、上方から滴下する水を受ける水受部５７を構成する。また、下端開口の下側は、制御基板５０を配設するための基板配設部５８を構成する。そして、前記外周壁５５の膨出部５６内は、水受部５７内から基板配設部５８の下側まで延びる排水路５９を構成する。また、基板ホルダー５１には、膨出部５６を設けた側に一対の嵌合部６０，６０が設けられるとともに、反対側中央に嵌合係止部６１が設けられている。前記嵌合部６０，６０は、前記底部１５の嵌合溝１７ａ，１７ｂに嵌合される変形不可能なものである。前記嵌合係止部６１は、底部１５の嵌合溝１７ｃに嵌合されるもので、弾性的な変形が可能なものである。
【００２７】
前記基板ホルダー５１は、嵌合部６０および嵌合係止部６１によって胴体１３の底部１５に対して所定位置に装着される。また、底体２９は、同様に胴体１３の底部１５に対してネジ挿通部３３を通してネジ孔部１９にネジで締め付けることにより、所定位置に装着される。そして、本実施形態の基板ホルダー５１の外周壁５５には、この正規装着状態で、取付部３４の上端開口部３７内に進入するように垂直（縦方向）下向きに延びる逆付け防止片６２が設けられている。具体的には、この逆付け防止片６２は、器具用プラグ３８の正規装着状態では、その電力供給用接続端子４２Ａ，４２Ｂ間を越え、これらの間に位置するアース用接続端子４３には干渉しない位置まで延びる棒状のものである。そのため、アース用接続端子４３が上側に位置し、電力供給用接続端子４２Ａ，４２Ｂが下側に位置するように底体２９の取付部３４に装着した誤装着状態では、中央に位置するアース用接続端子４３に逆付け防止片６２が干渉して、底体２９を胴体１３の底部１５に密着できないように構成している。
【００２８】
図１および図７に示すように、肩体２０において、胴体１３の全周より突出した部分の下部は、操作パネル部２５に対応する正面側がパネルカバー６３により被覆され、他の周囲が一対のカタカバー６４Ａ，６４Ｂにより被覆されている。  前記パネルカバー６３は、肩体２０の正面において、その先端縁から胴体１３にかけて操作パネル部２５の下部を被覆する平面視円弧状をなす樹脂製のものである。前記カタカバー６４Ａ，６４Ｂは、操作パネル部２５の下部を除く前記肩体２０の突出部分において、パネルカバー６３から肩体２０の背面中央までの下部を被覆する樹脂製のものである。
【００２９】
前記蓋体６５は、図１に示すように、炊飯器本体１２に対して背面側のヒンジ接続部２２で開閉可能に軸着され、炊飯鍋１１の開口を密閉状態に閉塞する平面視円形状のものである。この蓋体６５は、樹脂製の第１蓋部材６６と、該第１蓋部材６６の下側に配設される樹脂製の第２蓋部材６７と、前記第１蓋部材６６の上側表面に配設される装飾カバー６８とを備えている。この装飾カバー６８は、胴体１３と同様に鏡面仕上げを施した金属（ステンレス）製のものである。また、前記第２蓋部材６７の下部には、金属製の内蓋本体６９の外周部に炊飯鍋１１の開口縁をシールするシール部材７０を配設した内蓋７１が着脱可能に配設されている。なお、符号７２は、ロック爪部２３に係合するロック部７２ａを有する開放釦である。
【００３０】
前記構成の炊飯器１０を組み立てる場合には、例えば、肩体２０に対して外側から操作部材２６ａ〜２６ｅを配設した状態で、図６に示すように、内胴４４を装着した肩体２０を天地逆向きにし、スイッチ基板２８を配設したスペーサセット２７を操作パネル部２５の背部に配設してネジ止めにより固定する。ついで、スペーサセット２７の表面にパネルカバー６３を配置するとともに、内胴４４と肩体２０のガイドリブ２４との間に断熱材４９を配設する。
【００３１】
その後、胴体１３の内側に制御基板５０を装着した基板ホルダー５１を配置し、嵌合部６０，６０を嵌合溝１７ａ，１７ｂに嵌合させた後、嵌合係止部６１を弾性的に撓ませながら嵌合溝１７ｃに係止させる。そして、図７に示すように、この基板ホルダー５１を装着した胴体１３を内胴４４に被せるように配置し、ネジで締め付けることにより固定する。ついで、肩体２０の外周部にカタカバー６４Ａ，６４Ｂを配置し、ネジで締め付けることにより固定する。なお、図７には胴体１３に配設した基板ホルダー５１は図示していない。
【００３２】
最後に、底体２９の取付部３４に器具用プラグ３８を装着し、各接続端子４２Ａ，４２Ｂ，４３の第１端子部に制御基板５０から延びるリード線を接続して底体２９を胴体１３の底部１５に配置し、底体２９のネジ挿通部３３を通して底部１５のネジ孔部１９に対してネジで締め付けることにより、胴体１３に対して底体２９を固定する。
【００３３】
この際、胴体１３の底部１５において、切欠部１８からは基板ホルダー５１の逆付け防止片６２が外向きに突出している。そのため、底体２９の取付部３４に対して器具用プラグ３８を縦方向逆向き、即ち、アース用接続端子４３を上側に位置させ、電力供給用接続端子４２Ａ，４２Ｂを下側に位置させて誤装着している場合、底体２９を胴体１３の底部１５に配置すると、アース用接続端子４３に逆付け防止片６２が干渉し、底体２９を胴体１３の底部１５に対して密着するように配置することができない。例え密着させて配置できても、底部１５のネジ孔部１９と底体２９のネジ挿通部３３とは一致せず、ネジで締め付けることはできない。そのため、作業者は、器具用プラグ３８の取付方向が誤っていると判断できる。
【００３４】
このように、本発明の炊飯器１０では、器具用プラグ３８を取り付ける底体２９とは異なる難燃性構成部品である基板ホルダー５１に、誤装着状態でアース用接続端子４３に干渉する逆付け防止片６２を突設しているため、器具用プラグ３８を取り付ける底体２９の形状に拘わらず確実に設けることができる。また、外観部品である底体２９は、難燃性材料で構成する必要がある逆付け防止片６２を設けないため、外観を重視した好適な光沢材料を使用することができる。そのため、炊飯器１０の外観を損なうことなく、部品点数の増加および組立作業工程の増加もない。しかも、逆付け防止片６２は、別体からなる底体２９の取付部３４に進入させる必要性により基板ホルダー５１から外向きに突出する形状をなすため、該基板ホルダー５１の成形金型の構成は簡素であり、コストの増大を抑制できる。
【００３５】
また、本実施形態では、器具用プラグ３８がアース用接続端子４３を有する３極のものとし、逆付け防止片６２を誤装着状態でアース用接続端子４３に干渉するように設けているため、１つの逆付け防止片６２で確実に誤装着を防止できる。そのため、コストの増大を確実に抑制できる。しかも、正規装着状態では、アース用接続端子４３が下側に位置するように構成している。即ち、水等が浸水し易い下側には、電力供給用接続端子４２Ａ，４２Ｂが位置しないため、製品の安全性を向上できる。
【００３６】
さらに、本実施形態では、逆付け防止片６２を設ける難燃性構成部品を基板ホルダー５１としているため、外装体または外装体の内部に導電性材料からなる構成部品（胴体１３および内胴４４）が存在しても、確実に絶縁性能を維持したうえで器具用プラグ３８の誤装着を防止できる。しかも、基板ホルダー５１は、その機能上、従来より難燃性材料で形成する必要があるため、この基板ホルダー５１に逆付け防止片６２を設けることにより、新たな部品を追加したり既存部品の形成材料を変更することなく、本発明を実現できる。そのため、炊飯器１０の材料選択を含む設計の自由度を向上できる。
【００３７】
なお、本発明の家庭用電気製品は、前記実施形態の構成に限定されるものではなく、種々の変更が可能である。
【００３８】
例えば、器具用プラグ３８の正規装着位置を、アース用接続端子４３を上側とし、電力供給用接続端子４２Ａ，４２Ｂを下側に位置させた状態とし、誤装着状態では、一対の電力供給用接続端子４２Ａ，４２Ｂまたは電力供給用接続端子４２Ａ，４２Ｂの一方に干渉するように、基板ホルダー５１から逆付け防止片６２を突設する構成としてもよい。勿論、このように構成すれば、アース用接続端子４３を具備しない２極の器具用プラグ３８でも適用でき、同様の作用および効果を得ることができる。
【００３９】
また、本発明では、器具用プラグ３８において、各接続端子４２Ａ，４２Ｂ，４３とケース３９との位置関係および構成を明確にするために、垂直方向を縦方向とし、水平方向を横方向と規定したが、水平方向の幅を縦方向、水平方向の奥行きを横方向としてもよく、その方向性は希望に応じて変更が可能である。
【００４０】
さらに、前記実施形態では、本発明の特徴である器具用プラグ３８の取付構造を炊飯器１０に適用したが、電気ポットや加湿器にも適用可能である。言い換えれば、本発明は炊飯器１０に限られず、胴体および底体を有する外装体と、底体に配設される器具用プラグ３８と、内部に難燃性を有する非導電性材料からなる構成部品とを備えた家庭用電気製品であれば、いずれでも適用可能であり、同様の作用および効果を得ることができる。
【図面の簡単な説明】
【００４１】
【図１】本発明の実施形態に係る家庭用電気製品である炊飯器を示す断面図である。
【図２】図１の炊飯器を示す斜視図である。
【図３】炊飯器本体の断面斜視図である。
【図４】胴体の平面図である。
【図５】底体と基板ホルダーと器具用プラグとの関係を示す分解斜視図である。
【図６】組立作業の一工程を示す斜視図である。
【図７】組立作業の他の一工程を示す斜視図である。
【符号の説明】
【００４２】
１０…炊飯器（家庭用電気製品）
１２…炊飯器本体
１３…胴体
２０…肩体
２９…底体
３４…取付部
３８…器具用プラグ
３９…ケース
４０…接続凹部
４２Ａ，４２Ｂ…電力供給用接続端子
４３…アース用接続端子
４４…内胴
５１…基板ホルダー（難燃性構成部品）
５５…外周壁
６２…逆付け防止片
６５…蓋体
【図１】
2008027764.tif 000003
【図２】
2008027764.tif 000004
【図３】
2008027764.tif 000005
【図４】
2008027764.tif 000006
【図５】
2008027764.tif 000007
【図６】
2008027764.tif 000008
【図７】
2008027764.tif 000009